(57)【要約】【課題】  使用者の不快感あるいは衛生上の問題を低減できる排泄物処理装置を提供する。【解決手段】  パッド１の凹部１ｂの内部に排泄物が排泄された後、乾燥部３及び吸引部５を動作させる。吸引部５の吸引により、パッド１内の排泄物が、貯留部４に引き込まれる。  また、吸引部５の吸引により、パッド１内が陰圧となると、配管１１を介して、洗浄水供給部２内の洗浄水がパッド内に吸引される。これによって、使用者の股間を洗浄水で洗浄することができる。洗浄に使われた洗浄水は、排泄物と同様にして、貯留部４に吸引される。  乾燥部３から洗浄水供給部２に供給された乾燥用気体は、配管１２を介してパッド１に供給される。これにより、パッド１の内面や使用者の股間を乾燥させることができる。【選択図】図１
2006280803.tif 000002
【特許請求の範囲】
【請求項１】
パッドと、洗浄水供給部と、乾燥部と、貯留部と、吸引部と、第１流路と、第２流路と、第３流路とを備えており、
前記パッドは、人体の股間に当接する当接部と、前記当接部の内側に形成された凹部とを備えており、
前記凹部は、前記当接部が前記人体の股間に当接した状態において、前記凹部の内側が実質的に密閉状態となり、かつ、前記凹部の内側に排泄物を収容できる構成となっており、
前記洗浄水供給部は、洗浄水を前記第１流路に供給する構成となっており、
前記第１流路は、前記洗浄水を前記パッド内に送る構成となっており、
前記乾燥部は、乾燥用気体を前記第２流路に供給する構成となっており、
前記第２流路は、前記乾燥用気体を前記パッド内に送る構成となっており、
前記第３流路は、前記凹部の内側に収容された前記排泄物を、気密状態で、前記貯留部に送る構成となっており、
前記貯留部は、前記第３流路により送られた前記排泄物を貯留する構成となっており、
前記吸引部は、前記第３流路の内部を陰圧とすることにより、前記第３流路の内部に前記排泄物を吸引する構成となっている
ことを特徴とする排泄物処理装置。
【請求項２】
前記洗浄水供給部は、前記洗浄水を貯める容器であり、
前記乾燥部は、前記洗浄水供給部の内部に前記乾燥用気体を供給する構成となっており、
前記第２流路は、前記洗浄水供給部の内部に供給された前記乾燥用気体を、前記パッド内に送る構成となっており、
前記第１流路は、前記洗浄水を前記パッド内に供給した後、前記乾燥用気体をその内部に導入することができる構成となっている
ことを特徴とする、請求項１に記載の排泄物処理装置。
【請求項３】
排泄物検知センサをさらに備えており、
前記排泄物検知センサは、前記パッド内に排泄物が収容されたことを検知して検知信号を発する構成となっており、
前記吸引部及び前記乾燥部は、前記検知信号が発せられたときに起動する構成となっている
ことを特徴とする、請求項１又は２に記載の排泄物処理装置。
【請求項４】
乾燥検知センサをさらに備えており、
前記乾燥検知センサは、前記パッド内が乾燥したことを検知して乾燥検知信号を発する構成となっており、
前記吸引部及び前記乾燥部は、前記乾燥検知信号が発せられたときに停止する構成となっている
ことを特徴とする、請求項１〜３のいずれか１項に記載の排泄物処理装置。
【請求項５】
さらに、洗浄水補充部と、ポンプとを備えており、
前記洗浄水補充部は、補充用洗浄水を貯める構成となっており、
前記ポンプは、前記洗浄水補充部から前記洗浄水供給部に、一定量の前記補充用洗浄水を送る構成となっており、
さらに、前記ポンプは、前記乾燥検知信号が発せられたときに起動する構成となっている
ことを特徴とする、請求項４に記載の排泄物処理装置。
【発明の詳細な説明】
【技術分野】
【０００１】
本発明は、排泄物を処理する装置に関するものである。
【背景技術】
【０００２】
乳児や寝たきりの患者における排泄物処理には、従来から、いわゆるオムツが用いられている。しかしながら、オムツの使用には不快感を伴いがちである。また、頻繁な交換を要する場合があるため、介助者の負担が大きい。さらには、特に寝たきり患者においては、交換時に羞恥心を感じることが多く、心理的負担を生じるという問題もある。
【０００３】
下記特許文献１には、カップを股間に取り付け、カップ内に排泄された排泄物を吸引して処理する装置が記載されている。この装置は、バキュームの排気をカップ内に供給しながら、バキュームでカップ内を吸引することにより、カップ内の内圧の過負圧を防止する構成となっている（特許文献１の図３及び０００６段落参照）。
【０００４】
しかしながら、特許文献１の技術では、バキュームの排気をカップ内に戻しているに過ぎない。バキュームの排気は、排泄物貯留容器を経由した吸気を循環させているので、排泄物に含まれていた水分により、高い湿度となりがちである。このため、バキュームの排気をカップ内に戻しても、ほとんど乾燥に寄与しない。つまり、特許文献１の技術では、排泄物処理後のカップ内や吸引用配管内が湿った状態のままになってしまい、使用者に不快感を与えたり、衛生上の問題を生じやすいという問題がある。
【特許文献１】特開２００１−７９０２８号公報
【発明の開示】
【発明が解決しようとする課題】
【０００５】
本発明は、前記の状況に鑑みてなされたもので、使用者の不快感あるいは衛生上の問題を低減できる排泄物処理装置を提供しようとするものである。
【課題を解決するための手段】
【０００６】
請求項１に記載の排泄物処理は、装置パッドと、洗浄水供給部と、乾燥部と、貯留部と、吸引部と、第１流路と、第２流路と、第３流路とを備えている。前記パッドは、人体の股間に当接する当接部と、前記当接部の内側に形成された凹部とを備えている。前記凹部は、前記当接部が前記人体の股間に当接した状態において、前記凹部の内側が実質的に密閉状態となり、かつ、前記凹部の内側に排泄物を収容できる構成となっている。前記洗浄水供給部は、洗浄水を前記第１流路に供給する構成となっている。前記第１流路は、前記洗浄水を前記パッド内に送る構成となっている。前記乾燥部は、乾燥用気体を前記第２流路に供給する構成となっている。前記第２流路は、前記乾燥用気体を前記パッド内に送る構成となっている。前記第３流路は、前記凹部の内側に収容された前記排泄物を、気密状態で、前記貯留部に送る構成となっている。前記貯留部は、前記第３流路により送られた前記排泄物を貯留する構成となっている。前記吸引部は、前記第３流路の内部を陰圧とすることにより、前記第３流路の内部に前記排泄物を吸引する構成となっている。
【０００７】
請求項２に記載の排泄物処理装置は、請求項１に記載のものにおいて、前記洗浄水供給部は、前記洗浄水を貯める容器であり、前記乾燥部は、前記洗浄水供給部の内部に前記乾燥用気体を供給する構成となっており、前記第２流路は、前記洗浄水供給部の内部に供給された前記乾燥用気体を、前記パッド内に送る構成となっており、前記第１流路は、前記洗浄水を前記パッド内に供給した後、前記乾燥用気体をその内部に導入することができる構成となっているものである。
【０００８】
請求項３に記載の排泄物処理装置は、請求項１又は２に記載のものにおいて、排泄物検知センサをさらに備えており、前記排泄物検知センサは、前記パッド内に排泄物が収容されたことを検知して検知信号を発する構成となっており、前記吸引部及び前記乾燥部は、前記検知信号が発せられたときに起動する構成となっているものである。
【０００９】
請求項４に記載の排泄物処理装置は、請求項１〜３のいずれか１項に記載のものにおいて、乾燥検知センサをさらに備えている。前記乾燥検知センサは、前記パッド内が乾燥したことを検知して乾燥検知信号を発する構成となっている。前記吸引部及び前記乾燥部は、前記乾燥検知信号が発せられたときに停止する構成となっている。
【００１０】
請求項５に記載の排泄物処理装置は、さらに、洗浄水補充部と、ポンプとを備えている。前記洗浄水補充部は、補充用洗浄水を貯める構成となっている。前記ポンプは、前記洗浄水補充部から前記洗浄水供給部に、一定量の前記補充用洗浄水を送る構成となっている。さらに、前記ポンプは、前記乾燥検知信号が発せられたときに起動する構成となっている。
【発明の効果】
【００１１】
本発明に係る排泄物処理装置によれば、使用者の不快感あるいは衛生上の問題を低減できる排泄物処理装置を提供することが可能になる。
【発明を実施するための最良の形態】
【００１２】
（第１実施形態の構成）
以下、本発明の第１実施形態に係る排泄物処理装置を、添付の図面を参照して説明する。この排泄物処理装置は、図１及び図２に示されるように、パッド１と、洗浄水供給部２と、乾燥部３と、貯留部４と、吸引部５と、ポンプ７と、リリーフ弁８と、排泄物検知センサ９（図２参照）と、警報器１０（図２参照）と、配管１１〜１７とを備えている。
【００１３】
まず、配管１１〜１７について説明する。
【００１４】
配管１１の内部には、洗浄水をパッド１内に送る流路（第１流路に相当）１１１が形成されている（図４〜図６参照）。配管１１の内部は、この実施形態では気密状態となっている。配管１１は、この実施形態では、配管１２の内部に挿入されている。つまり、配管１１と配管１２とは、二重管の構造となっている。
【００１５】
また、配管１１の下流側端部は、パッド１の内部に挿入されている（図５参照）。さらに、配管１１は、その下流側端部において、二股に分岐されており、二つの分岐部１１ａ及び１１ｂが形成されている（図２及び図５参照）。分岐部１１ａは、パッド１の上端方向（人体Ｐの外尿道口の方向）に延長されている（図２参照）。分岐部１１ｂは、パッドの下端方向（人体Ｐの肛門の方向）に延長されている。流路１１１は、分岐部１１ａ及び１１ｂの内部まで延長されており、それらの端部において開口されている。したがって、本実施形態では、洗浄水は、分岐部１１ａ及び１１ｂの先端からパッド１の内部に供給されるようになっている。
【００１６】
配管１１の上流側端部は、洗浄水供給部２に収容された所定量の洗浄水の水面２ａより下方に位置するように配置されている（図４参照）。
【００１７】
配管１１の流路（第１流路）１１１は、洗浄水供給部２における洗浄水をパッド内に供給し、洗浄水の水面２ａが配管１１の下端よりも下がると、それ以降は、洗浄水供給部２に供給された乾燥用気体をその内部に導入することができる構成となっている。
【００１８】
配管１２の内部には、乾燥用気体をパッド１の内部に送る流路１２１（第２流路に相当）が形成されている（図４〜図６参照）。配管１２の下流側端部は、パッド１の開口部１ｃに、実質的に気密状態で取り付けられている（図３及び図５参照）。配管１２の上流側端部は、洗浄水供給部２の内部に挿入されている。また、配管１２の上流側端部は、洗浄水供給部２の内部に収容された所定量の洗浄水の水面２ａより上方に位置するように配置されている。これにより、流路１２１の内部に洗浄水が入り込むことを防止している。本実施形態では、配管１２の下流側端部から配管１１の下流側端部までの距離Ｌ１を、洗浄水供給部２における所定量の洗浄水の水位Ｌ２よりも大きく設定している。したがって、流路１２１（第２流路）は、乾燥部３から洗浄水供給部２の内部に供給された乾燥用気体を、パッド１の内部に送る構成となっている。
【００１９】
配管１３の内部には、パッド１の凹部１ｂの内側に収容された排泄物を、実質的に気密状態で貯留部４に送る流路（第３流路に相当）１３１が形成されている。配管１３の上流側端部は、パッド１の開口部１ｄの内部に、実質的に気密状態で挿入されている（図３及び図５参照）。配管１３の下流側端部は、貯留部４の内部に挿入されている（図１参照）。
【００２０】
配管１４及び１５は、洗浄水補充部６からポンプ７を介して洗浄水供給部２に送るようになっている。配管１６は、乾燥部３から乾燥用気体を洗浄水供給部２に送るようになっている。ただし、乾燥部３から洗浄水供給部２に、乾燥用気体を直接に供給できるのであれば、配管１６は、省略しても良い。配管１７は、貯留部４内の空気を吸引部５に送るようになっている。
【００２１】
パッド１は、図２及び図３に示されるように、全体としてカップ状に形成されている。パッド１は、人体Ｐの股間に当接する当接部１ａ（図２参照）と、当接部１ａの内側に形成された凹部１ｂとを備えている。パッド１は、塩化ビニルやシリコンゴムなどの柔軟性材料を一体成形することで構成されている。なお、図３においては、当接部１ａの記載を省略している。
【００２２】
当接部１ａは、パッド１の開口端縁に沿って、この開口端縁を覆うようにして取り付けられている（図２参照）。当接部１ａは、柔軟性の高い材料（例えばシリコーン樹脂）により構成されている。当接部１ａは、この実施形態では、人体Ｐの肛門や外尿道口（図示せず）を囲うように人体Ｐに当接するようになっている。また、当接部１ａの前面（使用者に向く面）の全体は、人体Ｐの皮膚にほぼ密着するようになっている。
【００２３】
凹部１ｂは、当接部１ａが人体Ｐの股間に当接した状態において、凹部１ｂの内側が実質的に密閉状態となるように構成されている。より具体的には、この実施形態では、凹部１ｂの内面が実質的に気密となっている。
【００２４】
また、凹部１ｂの内面は、人体Ｐからは若干離間しており、これによって、凹部１ｂの内側に排泄物を収容できるようになっている。
【００２５】
洗浄水供給部２は、この実施形態では、洗浄水を貯める容器である。洗浄水供給部２は、その内部の洗浄水を、配管１１内の流路（第１流路に相当）１１１（図４及び図５参照）に供給する構成となっている。
【００２６】
乾燥部３は、乾燥用気体を、配管１２の流路（第２流路）１２１に供給する構成となっている。本実施形態では、乾燥部３は、洗浄水供給部２の内部に、配管１６を介して乾燥用気体を供給する構成となっている。乾燥部３としては、例えば、家庭用のドライヤーを用いることもできる。
【００２７】
貯留部４は、配管１３の流路（第３流路）１３１により送られた排泄物を貯留する構成となっている。通常は、貯留部４は、内部を実質的に気密とした容器である。貯留部４としては、排泄物を吸引するために貯留部４の内部を陰圧にしても過剰に変形しない（吸引を妨げない）程度の剛性を有していることが好ましい。
【００２８】
吸引部５は、配管１３の流路（第３流路）１３１の内部を陰圧とすることにより、パッド１の内部から流路１３１の内部に排泄物を吸引する構成となっている。具体的には、本実施形態では、吸引部５は、配管１７を介して貯留部４の内部を吸引することで、貯留部４を陰圧とするようになっている。
【００２９】
洗浄水補充部６は、補充用の洗浄水を貯める構成となっている。洗浄水補充部６は、少なくとも数回分の洗浄水を貯めていることが好ましい。
【００３０】
ポンプ７は、洗浄水補充部６から洗浄水供給部２に、配管１４及び１５を介して、一定量（通常は一回の洗浄に使用する量）の補充用洗浄水を送る構成となっている。
【００３１】
リリーフ弁８は、貯留部４に取り付けられている。リリーフ弁８は、貯留部４の内圧が過剰に低くなったときに、内圧を調整する構成となっている。このようなリリーフ弁はよく知られているので、詳細な説明は省略する。
【００３２】
排泄物検知センサ９は、パッド１の内部に排泄物が収容されたことを検知して検知信号を発する構成となっている。具体的には、排泄物検知センサ９は、例えば、パッド１の内部における湿度を検知する湿度センサにより構成することができる。この場合は、パッド１の内部における湿度がしきい値を超えることによって、排泄物がパッド１内に排泄されたことを知ることができる。そのためのしきい値は、実験的に決定すればよい。
【００３３】
警報器１０は、排泄物検知センサ９に取り付けられている。警報器１０は、センサ９からの検知信号に基づいて警報を発するように構成されている。例えば、警報器１０は、センサ９からの、しきい値を超える出力信号（検知信号に相当）に基づいて、警報を発する構成となっている。センサ９から警報器１０への検知信号としては、排泄物がパッド１内に排泄されたときに警報器１０が警報を発することができる信号であればよく、デジタル値でもアナログ値でもよい。
【００３４】
（第１実施形態の動作）
つぎに、前記のように構成された第１実施形態に係る排泄物処理装置の動作について説明する。
【００３５】
まず、待機状態（初期状態）においては、洗浄水供給部２の内部に、所定量（一回の使用に必要な量）の洗浄水が貯められている。また、パッド１を人体Ｐの股間に取り付ける（図１参照）。パッド１を人体Ｐに取り付ける場合には、パッド１に固定具（例えばひもやベルトなど）を取り付けておき、固定具によって固定することが好ましい。また、固定具をパッド１に固定するために、パッド１に枠体（図示せず）を取り付けて、この枠体を介して固定具をパッド１に固定することが好ましい。このように枠体を用いると、パッド１の変形を抑えることができ、パッド１の当接部１ａと人体Ｐとの密着性を向上させることができる。
【００３６】
ついで、パッド１の凹部１ｂの内側に排泄物（大便又は小便）が排泄されると、本実施形態では、排泄物検知センサ９がそれを検知し、警報器１０が警報を発する。
【００３７】
その後、警報に気付いた介助者は、乾燥部３及び吸引部５を動作させる。あるいは、排泄を自覚し、自分で操作ができる使用者の場合は、使用者自身で、乾燥部３及び吸引部５を動作させてもよい。
【００３８】
すると、吸引部５の吸引により、貯留部４の内部が陰圧となり、さらに、配管１３内の気密状態の流路１３１が陰圧となるために、パッド１内の排泄物が、流路１３１に引き込まれ、さらに、貯留部４に引き込まれる。
【００３９】
本実施形態では、このようにして、パッド１内の排泄物を貯留部４の内部に吸引することができる。また、本実施形態では、パッド１の内部を陰圧にして排泄物をパッド１内から除去しているので、排泄物の処理中にパッド１から排泄物が外部に漏れる可能性を低減できるという利点もある。
【００４０】
また、吸引部５の吸引により、パッド１内が陰圧となると、この陰圧により、配管１１を介して、洗浄水供給部２内の洗浄水がパッド内に吸引される（図４参照）。すると、洗浄水が、配管１１の流路１１１を介して、分岐１１ａ及び１１ｂの先端からパッド１の内部に供給される。
【００４１】
本実施形態では、これによって、使用者の股間を洗浄水で洗浄することができる。洗浄に使われた洗浄水は、排泄物と同様にして、貯留部４に吸引される。
【００４２】
本実施形態では、乾燥部３から洗浄水供給部２に供給された乾燥用気体は、配管１２の流路１２１を介してパッド１に供給される（図４参照）。これにより、パッド１の内面や使用者の股間を乾燥させることができる。また、乾燥用気体を温風とすれば、使用者の股間を暖めることができ、使用感の向上を図ることができる。
【００４３】
本実施形態では、排泄物とともに吸引された吸気をそのまま循環させてパッド１の内側に戻すのではなく、乾燥された気体を乾燥部３からパッド１の内側に供給している。このため、パッド１の内側が乾燥しやすくなり、使用者の使用感や衛生を向上させることが可能となるという利点がある。また、本実施形態では、吸引部５とは別に乾燥部３を設けて乾燥用気体を供給しているので、吸引部５の排気を乾燥させて再利用する場合に比較して、乾燥された気体を容易かつ確実に供給することができるという利点もある。
【００４４】
ついで、洗浄水供給部２内の洗浄水が少なくなり、その水面２ａが低下すると、配管１１で洗浄水を吸い込めなくなる。すると、パッド１の内部が陰圧となっているために、乾燥用気体が、配管１１の流路１１１を通って、パッド１の内部に供給される。さらに、乾燥用気体は、パッド１に供給された後、内部が陰圧となっている配管１３の流路１３１を通って、貯留部４に達する。
【００４５】
本実施形態では、一回の使用分の洗浄水をパッド１の内部に供給した後、引き続いて、配管１１の流路１１１や、パッド１や、配管１３の流路１３１の内部に、乾燥用気体を自動的に供給することができる。これにより、本実施形態の装置によれば、流路１１１、パッド１及び流路１３１の内部を乾燥させることができる。排泄物の処理後に、これらが湿った状態であると、使用者に不快感を与えたり、不衛生になったりするという問題がある。本実施形態では、流路１１１、パッド１及び流路１３１の内部を乾燥させることができるので、使用者の使用感や衛生をさらに向上させることができるという利点がある。
【００４６】
乾燥が終わった後、介助者又は使用者は、乾燥部３及び吸引部５の動作を停止する。さらに、介助者又は使用者は、ポンプ７を駆動し、所定量（一回の洗浄に必要な量）の洗浄水を、洗浄水補充部６から洗浄水供給部２に供給する。これにより、待機状態（初期状態）に戻すことができる。以降の動作は、前記と同様である。貯留部４に貯められた排泄物は、所定量となったら、水洗トイレに流す等の適宜な方法で処理される。
【００４７】
ここで、夜間には、洗浄水供給部２に充填された洗浄水に消毒液（例えばヒビテン（商標）１〜３％液）を加えておくことが好ましい。このようにすると、介助者が介助できなくても、洗浄水によって皮膚を清潔に保つことができるという利点がある。
【００４８】
なお、前記実施形態では、配管１１と配管１２とを二重管構造とし、配管１３を独立させているが、これらの配管を一つのトリプルルーメン構造の配管１８にまとめてもよい（図７参照）。図７の例では、配管１８の内部に、流路１１１と流路１２１と流路１３１とが形成されている。また、配管１１と配管１２とを、二重管構造でなく、独立させた構造としてもよい。
【００４９】
（第２実施形態）
次に、本発明の第２実施形態に係る排泄物処理装置を、図８に基づいて説明する。前記した第１実施形態の装置では、乾燥部３や吸引部５等の動作を手動で行っていた。第２実施形態の装置では、これらの動作を自動で行う構成となっている。
【００５０】
具体的には、第２実施形態の装置は、第１実施形態の装置に加えて、制御部２０を備えている。制御部２０は、排泄物検知センサ９からの検知信号を受け取るようになっている。排泄物検知センサ９からの信号は、具体的には、例えば、パッド１の内部における湿度の検出値である。この場合、湿度の値（検知信号）がしきい値より高いときは、パッド１の内部に排泄物があるという検知信号となり、しきい値より低いときは、パッド１の内部が乾燥しているという検知信号（乾燥検知信号）となる。もちろん、検知信号は、パッド１内の状態に対応したデジタル値であってもよいし、湿度以外の情報に基づいたものであってもよい。
【００５１】
制御部２０は、排泄物検知センサ９からの検知信号（排泄物が存在する場合の検知信号）を受け取ると、乾燥部３及び吸引部５を起動させる。その後の動作は、前記した第１実施形態と同様なので、詳細な説明は省略する。
【００５２】
したがって、第２実施形態の装置は、吸引部３及び乾燥部５が、排泄物検知センサ９からの検知信号が発せられたときに起動する構成となっている。
【００５３】
また、制御部２０は、排泄物を吸引処理した後、排泄物検知センサ９からの検知信号（パッド１の内部が乾燥している場合の乾燥検知信号）を受け取ると、乾燥部３及び吸引部５を停止させ、さらに、ポンプ７を起動させる。したがって、本実施形態の乾燥部３及び吸引部５は、乾燥検知信号が発せられたときに停止する構成となっている。また、本実施形態のポンプ７は、乾燥検知信号が発せられたときに起動する構成となっている。その後の動作も、前記した第１実施形態と同様なので、詳細な説明は省略する。
【００５４】
第２実施形態の装置によれば、動作を自動で行うことができるので、自分で操作ができない使用者の排泄物を、介助者の手を煩わせずに処理できるという利点がある。
【００５５】
なお、第２実施形態においては、一つの排泄物検知センサ９が、パッド１の内部に排泄物が収容されたことを検知するセンサと、パッド１の内部が乾燥したことを検知するセンサ（乾燥検知センサ）とを兼ねている。しかしながら、これに限らず、これらの機能に対応した個別のセンサを用いてもよい。
【００５６】
第２実施形態の装置における他の構成及び利点は、第１実施形態の装置と基本的に同様なので、同一符号を付すことによって、詳細な説明を省略する。
【００５７】
なお、本発明に係る排泄物処理装置は、前記実施形態に限定されるものではなく、本発明の要旨を逸脱しない範囲内において種々変更を加え得ることはもちろんである。
【００５８】
例えば、前記した各構成要素は、機能ブロックとして存在していればよく、独立したハードウエアとして存在しなくても良い。また、実装方法としては、ハードウエアを用いてもコンピュータソフトウエアを用いても良い。さらに、本発明における一つの機能要素が複数の機能要素の集合によって実現されても良く、本発明における複数の機能要素が一つの機能要素により実現されても良い。
【００５９】
また、機能要素は、物理的に離間した位置に配置されていてもよい。この場合、機能要素どうしがネットワークにより接続されていても良い。
【図面の簡単な説明】
【００６０】
【図１】本発明の第１実施形態に係る排泄物処理装置の概略的な構成を示す説明図である。
【図２】パッドの概略的な縦断面図である。
【図３】配管を除去した状態におけるパッドの概略的な斜視図である。
【図４】洗浄水供給部の内部に配置された配管の状態を説明するための、概略的な要部断面図である。
【図５】図３のＡ−Ａ線矢視において、配管をパッドに取り付けた状態の、概略的な要部拡大断面図である。
【図６】図５のＢ−Ｂ線に沿う、概略的な断面図である。
【図７】配管の変形例を説明するための横断面図である。
【図８】本発明の第２施形態に係る排泄物処理装置の概略的な構成を示す説明図である。
【符号の説明】
【００６１】
１  パッド
１ａ  当接部
１ｂ  凹部
１ｃ・１ｄ  開口部
２  洗浄水供給部
２ａ  洗浄水の水面
３  乾燥部
４  貯留部
５  吸引部
６  洗浄水補充部
７  ポンプ
８  リリーフ弁
９  排泄物検知センサ（乾燥検知センサ）
１０  警報器
１１  配管（洗浄水用）
１１１  流路（第１流路）
１１ａ・１１ｂ  分岐
１２  配管（乾燥用気体用）
１２１  流路（第２流路）
１３  配管（排泄物用）
１３１  流路（第３流路）
１４〜１８  配管
２０  制御部
【図１】
2006280803.tif 000003
【図２】
2006280803.tif 000004
【図３】
2006280803.tif 000005
【図４】
2006280803.tif 000006
【図５】
2006280803.tif 000007
【図６】
2006280803.tif 000008
【図７】
2006280803.tif 000009
【図８】
2006280803.tif 000010